(57)【要約】【課題】操作性を損なうことなく断熱性を向上させること。【解決手段】基端部が巻取軸４０に接続され、かつ先端部がボトムバー３０に接続されたスクリーン５０と、巻取軸４０の両端部に対応した位置から互いに同じ方向に延在した一対のガイド部材２１とを備えたロールスクリーン装置であって、スクリーン５０の開閉移動領域Ｓに進退移動するよう回動可能に配設された一対の羽根部材６０は、ボトムバー３０が開閉移動領域Ｓに位置する場合には、開閉移動領域Ｓから退行してスクリーン５０が開閉移動することを許容する一方、ボトムバー３０が係合片２７ｂと係合する場合には、開閉移動領域Ｓに進出してスクリーン５０の両端縁部を一対のガイド部材２１の内方ヒレ部２１ｃに接触させるものである。【選択図】図２
2015151800.tif 000002
【特許請求の範囲】
【請求項１】
基端部が巻取軸に接続され、かつ先端部が係合部材に接続されたスクリーンと、
前記巻取軸の両端部に対応した位置から互いに同じ方向に延在した一対のガイド部材と
を備え、
前記巻取軸の回転により前記スクリーンを開移動させて前記巻取軸に巻き取った場合に前記一対のガイド部材の間を開放する一方、前記巻取軸から前記スクリーンを繰り出した場合に前記スクリーンを閉移動させて前記一対のガイド部材の間を閉塞することが可能なロールスクリーン装置であって、
前記スクリーンの開閉移動領域に進退移動するよう前記ガイド部材の延在方向に沿って延在する軸部の中心軸回りに回動可能に配設された一対の羽根部材を備え、
前記一対の羽根部材は、前記係合部材が前記開閉移動領域に位置する場合には、前記開閉移動領域から退行して前記スクリーンが開閉移動することを許容する一方、前記係合部材が前記一対のガイド部材における見込み方向の一端側に設けられた係合部と係合する場合には、前記開閉移動領域に進出して前記スクリーンの両端縁部を前記一対のガイド部材における見込み方向の一端部に接触させるよう押圧することを特徴とするロールスクリーン装置。
【請求項２】
前記一対の羽根部材は、前記開閉移動領域に進出するよう付勢手段に付勢されるものであり、前記係合部材に当接される場合には前記付勢手段の付勢力に抗して前記開閉移動領域から退行して前記スクリーンが開閉移動することを許容する一方、前記係合部材が前記一対のガイド部材における見込み方向の一端側に設けられた係合部と係合する場合には、前記開閉移動領域に進出して前記スクリーンの両端縁部を前記一対のガイド部材における見込み方向の一端部に接触させるよう押圧することを特徴とする請求項１に記載のロールスクリーン装置。
【請求項３】
前記一対のガイド部材は、見込み方向の他端部どうしの離間距離が前記スクリーンの幅よりも大きくしたことを特徴とする請求項１又は請求項２に記載のロールスクリーン装置。
【請求項４】
前記一対のガイド部材は、見込み方向の一端部において他端部に向けて突出するよう形成された突起部を備えたことを特徴とする請求項１〜３のいずれか一つに記載のロールスクリーン装置。
【発明の詳細な説明】
【技術分野】
【０００１】
本発明は、ロールスクリーン装置に関するものである。
【背景技術】
【０００２】
躯体の開口に引き違い窓等の建具を備えた建築物には、簡易的に断熱性を向上させる目的で、建具よりも室内側に設けられた額縁にロールスクリーン装置を設けるようにしたものがある。ロールスクリーン装置は、額縁の上額縁部材に取り付けられ、巻取軸からスクリーンが繰り出されることにより、スクリーンによって額縁の開口を閉じるようにしたものである。額縁の左右に位置する縦額縁部材には、それぞれガイド部材が設けられている。ガイド部材は、スクリーンの端縁部を摺動可能に収納するように設けられており、スクリーンが巻取軸から繰り出された場合に室内側と室外側との間の気密性を高めるように機能するものである。
【０００３】
この種のロールスクリーン装置を備えた建築物によれば、スクリーンが繰り出されて額縁の開口を閉じた場合、スクリーンによって開口を通じた通気が制限されるため、室内側と室外側との断熱性を向上させることが可能となる（例えば、特許文献１参照）。
【先行技術文献】
【特許文献】
【０００４】
【特許文献１】実開平６−６６９４号公報
【発明の概要】
【発明が解決しようとする課題】
【０００５】
しかしながら、上述のロールスクリーン装置にあっては、スクリーンを繰り出したり、巻き取ったりする際に常にスクリーンの両面にガイド部材が摺接することになる。このため、スクリーンを操作する際に大きな力が必要になり、操作性を考慮した場合、必ずしも好ましいとはいえない。更に、スクリーンの巻きシワの発生にも繋がり好ましくない。また、室内ドアを開閉した場合や扇風機、エアコン等の空調機から風を受けた場合には、スクリーンの端縁部がガイド部材から逸脱する虞れがあり、元の状態に復帰させる操作も煩雑なものとなる。
【０００６】
本発明は、上記実情に鑑みて、操作性を損なうことなく、巻きシワの発生を抑制し、断熱性を向上させることのできるロールスクリーン装置を提供することを目的とする。
【課題を解決するための手段】
【０００７】
上記目的を達成するために、本発明に係るロールスクリーン装置は、基端部が巻取軸に接続され、かつ先端部が係合部材に接続されたスクリーンと、前記巻取軸の両端部に対応した位置から互いに同じ方向に延在した一対のガイド部材とを備え、前記巻取軸の回転により前記スクリーンを開移動させて前記巻取軸に巻き取った場合に前記一対のガイド部材の間を開放する一方、前記巻取軸から前記スクリーンを繰り出した場合に前記スクリーンを閉移動させて前記一対のガイド部材の間を閉塞することが可能なロールスクリーン装置であって、前記スクリーンの開閉移動領域に進退移動するよう前記ガイド部材の延在方向に沿って延在する軸部の中心軸回りに回動可能に配設された一対の羽根部材を備え、前記一対の羽根部材は、前記係合部材が前記開閉移動領域に位置する場合には、前記開閉移動領域から退行して前記スクリーンが開閉移動することを許容する一方、前記係合部材が前記一対のガイド部材における見込み方向の一端側に設けられた係合部と係合する場合には、前記開閉移動領域に進出して前記スクリーンの両端縁部を前記一対のガイド部材における見込み方向の一端部に接触させるよう押圧することを特徴とする。
【０００８】
これによれば、一対の羽根部材が、係合部材が開閉移動領域に位置する場合には、開閉移動領域から退行してスクリーンが開閉移動することを許容するので、スクリーンを閉移動させる際にスクリーンの端縁部にガイド部材からの外力が作用しない。そのため、スクリーンを閉移動させる際の操作に大きな力を必要としない。また外力が作用しないためにスクリーンに巻きシワが発生することを抑制することができる。また一対の羽根部材が、係合部材が一対のガイド部材における見込み方向の一端側に設けられた係合部と係合する場合には、開閉移動領域に進出してスクリーンの両端縁部を一対のガイド部材における見込み方向の一端部に接触させるよう押圧するので、スクリーンの両端縁部をガイド部材の一端部に接触させて一対のガイド部材の間を良好に閉塞することができる。
【０００９】
また本発明は、上記ロールスクリーン装置において、前記一対の羽根部材は、前記開閉移動領域に進出するよう付勢手段に付勢されるものであり、前記係合部材に当接される場合には前記付勢手段の付勢力に抗して前記開閉移動領域から退行して前記スクリーンが開閉移動することを許容する一方、前記係合部材が前記一対のガイド部材における見込み方向の一端側に設けられた係合部と係合する場合には、前記開閉移動領域に進出して前記スクリーンの両端縁部を前記一対のガイド部材における見込み方向の一端部に接触させるよう押圧することを特徴とする。
【００１０】
これによれば、一対の羽根部材が、係合部材に当接される場合には、付勢手段の付勢力に抗して開閉移動領域から退行してスクリーンが開閉移動することを許容するので、スクリーンを閉移動させる際にスクリーンの端縁部にガイド部材からの外力が作用しない。そのため、スクリーンを閉移動させる際の操作に大きな力を必要としない。また、一対の羽根部材が、係合部材が一対のガイド部材における見込み方向の一端側に設けられた係合部と係合する場合には、開閉移動領域に進出してスクリーンの両端縁部を一対のガイド部材における見込み方向の一端部に接触させるよう押圧するので、スクリーンの両端縁部をガイド部材の一端部に接触させて一対のガイド部材の間を良好に閉塞することができる。
【００１１】
また本発明は、上記ロールスクリーン装置において、前記一対のガイド部材は、見込み方向の他端部どうしの離間距離が前記スクリーンの幅よりも大きくしたことを特徴とする。
【００１２】
これによれば、一対のガイド部材における見込み方向の他端部どうしの離間距離がスクリーンの幅よりも大きいので、スクリーンの両端縁部が単にガイド部材の一端部に対向するよう構成していることとなる。そのため、例えば係合部材と係合部との係合状態を解除させた後、係合部材を上記他端部側に移動させれば、羽根部材が付勢手段の付勢力に抗して開閉移動領域から退避してスクリーンの両端縁部が上記一端部と対向した状態に復帰させることができる。そして、係合部材を再度一端部側に移動させて係合部と係合させることで、羽根部材が開閉移動領域に進出してスクリーンの両端縁部が上記一端部に圧接され、一対のガイド部材の間を良好に閉塞することができる。しかも、スクリーンの両端縁部が上記一端部に対向するよう構成しているだけなので、スクリーンの両端縁部がガイド部材に挟み込まれた状態でスクリーンが開閉移動することがなく、これによってもスクリーンの巻シワ等の発生を抑制することができる。
【００１３】
また本発明は、上記ロールスクリーン装置において、前記一対のガイド部材は、見込み方向の一端部において他端部に向けて突出するよう形成された突起部を備えたことを特徴とする。
【００１４】
これによれば、突起部が他端部に向けて突出するよう形成されているので、羽根部材がスクリーンを押圧する場合に該スクリーンの両端縁部を確実に一端部に接触させることができる。
【発明の効果】
【００１５】
本発明によれば、スクリーンを閉移動させる際の操作に大きな力を必要としないとともに、スクリーンに巻きシワが発生することを抑制し、しかもスクリーンの両端縁部をガイド部材の一端部に接触させて一対のガイド部材の間を良好に閉塞することができるので、操作性を損なうことなく、巻きシワの発生を抑制し、断熱性を向上させることのできるという効果を奏する。
【図面の簡単な説明】
【００１６】
【図１】図１は、本発明の実施の形態であるロールスクリーン装置を取り付けた建築物の要部縦断面図である。
【図２】図２は、図１に示した建築物の要部横断面図である。
【図３】図３は、図１に示したロールスクリーン装置においてスクリーンが途中まで繰り出された状態の斜視図である。
【図４】図４は、図１に示したロールスクリーン装置においてスクリーンが最も巻き取られた状態の縦断面図である。
【図５】図５は、図４に示したロールスクリーン装置の横断面図である。
【図６】図６は、図１に示したロールスクリーン装置においてスクリーンが途中まで繰り出された状態の縦断面図である。
【図７】図７は、図６に示したロールスクリーン装置の横断面図である。
【図８】図８は、図１に示したロールスクリーン装置において係合部材であるボトムバーを係合片に係合させた状態の縦断面図である。
【図９】図９は、図８に示したロールスクリーン装置の横断面図である。
【発明を実施するための形態】
【００１７】
以下に添付図面を参照して、本発明に係るロールスクリーン装置の好適な実施の形態について詳細に説明する。
【００１８】
図１及び図２は、本発明の実施の形態であるロールスクリーン装置を示したものである。ここで例示するロールスクリーン装置は、躯体開口１に設けた引き違い窓１０の開口枠１１から室内側に向けて配設された額縁１２を取付対象とするものである。額縁１２は、上額縁部材１２ａ、下額縁部材１２ｂ及び左右一対の縦額縁部材１２ｃを備えて矩形の枠状に構成したものである。この額縁１２を取付対象とするロールスクリーン装置は、一対のガイド部材２１とこれらガイド部材２１の上端部間に架設するように設けた支持体２２とを備えている。
【００１９】
ガイド部材２１は、縦額縁部材１２ｃの見込み面において、最も室外側に位置する部位に互いに対向するように取り付けたものである。それぞれのガイド部材２１は、縦額縁部材１２ｃの見込み面に対向する基壁部２１ａと、基壁部２１ａの端部より互いに対向するように突出した２つのヒレ部２１ｂ，２１ｃとを一体に成型したもので、基壁部２１ａを介して縦額縁部材１２ｃに固定ネジ２３によって取り付けてある。
【００２０】
基壁部２１ａは、上額縁部材１２ａの下面近傍から下額縁部材１２ｂの上面までの間にわたって設けた薄板状部材である。基壁部２１ａの室外側端部より突出したヒレ部（以下、「外方ヒレ部２１ｂ」という）は、基壁部２１ａの全長にわたる部位に形成した薄板状部材である。基壁部２１ａの室内側端部より突出したヒレ部（以下、「内方ヒレ部２１ｃ」という）は、下額縁部材１２ｂの上面から上方に離隔した箇所から外方ヒレ部２１ｂに平行となるように設けた薄板状部材である。
【００２１】
基壁部２１ａからの内方ヒレ部２１ｃの突出長さは、外方ヒレ部２１ｂよりも大きな寸法を有するように設定してある。また、内方ヒレ部２１ｃの上端位置は、上額縁部材１２ａの下面との間に後述する支持体２２を配置することのできる間隙を確保するように設定してある。
【００２２】
更に、内方ヒレ部２１ｃの突出端部２１ｄ、すなわち基壁部２１ａと反対側の端部は、室外側に延在した後に基壁部２１ａに近接するよう屈曲している。この突出端部２１ｄには室外側に突出する突起部２１ｅ（図５等参照）が形成してある。
【００２３】
支持体２２は、見込み方向に沿った寸法がガイド部材２１よりも大きなケース部２２ａと、ケース部２２ａの上面に着脱可能に係合されるブラケット部２２ｂとを備えたものである。この支持体２２は、上額縁部材１２ａの見込み面にブラケット部２２ｂを固定ネジ２４で取り付けた後、ブラケット部２２ｂにケース部２２ａを係合させることによって上額縁部材１２ａの見込み面に支持させてある。ケース部２２ａとブラケット部２２ｂとの間には、ブラケット部２２ｂからのケース部２２ａの脱落を阻止するための取付ネジ２５が螺合してある。
【００２４】
支持体２２のケース部２２ａは、ガイド部材２１の外方ヒレ部２１ｂに当接する位置から内方ヒレ部２１ｃを超えて室内側に突出するように設けた中空の筒状体である。ケース部２２ａの両端部下面は、ガイド部材２１に設けた内方ヒレ部２１ｃの上端に当接した状態にある。このケース部２２ａには、ガイド部材２１の内方ヒレ部２１ｃよりも室外側に位置する部分の下面に繰出口２２ｃが設けてある。繰出口２２ｃは、上額縁部材１２ａの長手方向に沿った開口である。図からも明らかなように、ケース部２２ａにおいて繰出口２２ｃの両側となる部分には、スクリーン５０が最も巻き取られた際に後述するボトムバー３０に当接して上方への開移動をストップさせるストッパ部２２ｄが構成してある。
【００２５】
ケース部２２ａの繰出口２２ｃにおいて室内側に位置する開口縁部には、上方タイト材２６が設けてある。上方タイト材２６は、室外側に向けて略水平に突出した「モヘア」と称される刷毛状のもので、繰出口２２ｃの全長にわたる部位に直線状に連続して設けてある。
【００２６】
ケース部２２ａの内部には、巻取軸４０が配設してある。巻取軸４０は、両端部を介してケース部２２ａに支持させた円柱状部材であり、円柱の中心軸線が上額縁部材１２ａの長手方向に沿った状態で中心軸線を中心に回転することが可能である。図１からも明らかなように、巻取軸４０は、その中心軸線がガイド部材２１の内方ヒレ部２１ｃよりも室内側に設定してあるとともに、室外側の外周面を通過する垂線が内方ヒレ部２１ｃの室外側を通過するように外径が設定してある。図には明示していないが、巻取軸４０とケース部２２ａとの間には、図１において巻取軸４０を時計回りに回転するように付勢する渦巻きバネ等の付勢部材４１が設けてある。
【００２７】
この巻取軸４０には、スクリーン５０の基端部が接続してある。スクリーン５０は、巻取軸４０の室外側外周面からケース部２２ａの繰出口２２ｃを通過して下方に繰り出した場合に、すなわち下方に閉移動した場合に、両端縁部がガイド部材２１の内方ヒレ部２１ｃに対向する幅を有している。このスクリーン５０の先端部には、ボトムバー（係合部材）３０が接続してある。
【００２８】
ボトムバー３０は、上額縁部材１２ａの長手方向に沿った寸法がケース部２２ａの繰出口２２ｃよりも大きく、かつガイド部材２１の外方ヒレ部２１ｂと内方ヒレ部２１ｃとの間を通過できる幅を有した長尺状部材である。つまり、ボトムバー３０は、左右幅がスクリーン５０の左右幅よりも大きく設定してあるとともに、一対のガイド部材２１における外方ヒレ部２１ｂどうしの離間距離よりも大きく設定してある。ここで一対のガイド部材２１における外方ヒレ部２１ｂどうしの離間距離は、スクリーン５０の左右幅よりも大きく設定してある。
【００２９】
また、このボトムバー３０の両端部の上面には、図３に示すように挿入用切欠３１が形成してある。挿入用切欠３１は、上方及び側方に開口するように設けた切欠である。
【００３０】
更に、ボトムバー３０には、下方タイト材３２（図４参照）が設けてある。下方タイト材３２は、ボトムバー３０の室外側下面から室外側下方に向けて突出した「モヘア」と称される刷毛状のもので、ボトムバー３０の長手方向に沿って直線状に配設してある。
【００３１】
一方、一対のガイド部材２１には、ガイドキャップ２７が取り付けてある。ガイドキャップ２７は、ガイド部材２１の下端部を閉塞するよう設けたものであり、ガイド部材２１と下額縁部材１２ｂとの間に介在するものである。このガイドキャップ２７には、室内側開口２７ａが形成してある。この室内側開口２７ａの上下方向の寸法は、ボトムバー３０の両端部の通過を許容する大きさに設定してある。また、室内側開口２７ａの上端縁部分は、上記挿入用切欠３１に挿入可能な係合片（係合部）２７ｂを構成している。
【００３２】
図２及び図３に示すように、一対のガイド部材２１には羽根部材６０がそれぞれ設けてある。羽根部材６０は、軸部６１と羽根部６２とを備えて構成してある。軸部６１は、ガイド部材２１の延在方向に沿って延在するもので、内方ヒレ部２１ｃの室外側を臨む見付け面に設けられた軸支部２１ｆに軸支されるものである。
【００３３】
羽根部６２は、軸部６１の外周部分より該軸部６１の径方向外部に向けて延在する平板状部材である。この羽根部６２の軸部６１からの延在長さは、詳細は後述するが、室内側に回動した場合に、その延在端部が内方ヒレ部２１ｃの突出端部２１ｄに当接することができる長さに設定してある。
【００３４】
このような羽根部材６０は、下端がガイドキャップ２７の底部に載置して、上端が内方ヒレ部２１ｃの上端位置まで延在しており、軸部６１の中心軸回りに回動可能に設けてある。つまり、羽根部材６０は、スクリーン５０の開閉移動領域Ｓに進退移動するよう室内外方向に沿って回動可能に設けてある。また、この羽根部材６０とガイド部材２１との間には、スクリーン５０の開閉移動領域Ｓに羽根部６２を進出するよう付勢する羽根用バネ６３（付勢手段）が介装してある。
【００３５】
上記のように構成したロールスクリーン装置では、スクリーン５０に外力を加えていない場合、図４に示すように、付勢部材４１によって巻取軸４０が時計回りに回転するように付勢されているため、基端部が巻取軸４０に接続されたスクリーン５０が巻取軸４０の外周に巻き取られて開移動し、これにより一対のガイド部材２１の間が開放されることになる。このとき、ボトムバー３０は、ガイド部材２１の外方ヒレ部２１ｂと内方ヒレ部２１ｃとの間の上端部分に位置している。
【００３６】
また、この場合に、一対の羽根部材６０は、図５に示すように、ボトムバー３０の両端部に当接されることで、羽根用バネ６３の付勢力に抗して室外側に向けて回動してスクリーン５０の開閉移動領域Ｓから退避している。
【００３７】
この状態から操作紐３３を下方に引くと、図６及び図７に示すように、ボトムバー３０の両端部がガイド部材２１の外方ヒレ部２１ｂと内方ヒレ部２１ｃとの間に案内されながら下方に移動し、これに伴ってスクリーン５０が付勢部材４１の付勢力に抗して巻取軸４０から順次繰り出されることで閉移動する。
【００３８】
この間においては、巻取軸４０から繰り出されるスクリーン５０の上端部が巻取軸４０の外周面よりも室外側に位置するため、上方タイト材２６等に摺接することはない。しかも、スクリーン５０の両端縁部にガイド部材２１等からの外力が作用せず、スクリーン５０を繰り出す際の操作に大きな力が必要になることもない。
【００３９】
また、この場合においても、一対の羽根部材６０は、ボトムバー３０の両端部に当接されることで、羽根用バネ６３の付勢力に抗して室外側に向けて回動してスクリーン５０の開閉移動領域Ｓから退避している。尚、操作紐３３やボトムバー３０から手を離すと、付勢部材４１の付勢力により巻取軸４０が巻取方向（図６において時計回りの方向）に回転し、スクリーン５０が巻き取られて再び図４の状態に復帰することとなる。
【００４０】
下方に移動するボトムバー３０を内方ヒレ部２１ｃの下端よりも下方に位置させると、ボトムバー３０の両端部がガイドキャップ２７の室内側開口２７ａを通過することで内方ヒレ部２１ｃを超えてボトムバー３０を室内側に位置させることができる。そして、図８及び図９に示すように、ボトムバー３０の両端部の挿入用切欠３１に係合片２７ｂを挿入することができる。この状態においては、ボトムバー３０から手を離してスクリーン５０に巻取方向の力が加えられても、係合片２７ｂが挿入用切欠３１に挿入してボトムバー３０がガイド部材２１に係合することでスクリーン５０は上方への移動（開移動）が阻止される。
【００４１】
また、このようにボトムバー３０を内方ヒレ部２１ｃを超えて室内側に位置させることで、ボトムバー３０の両端部と羽根部材６０との当接状態が解除され、羽根部材６０が羽根用バネ６３の付勢力により室内側に向けて回動して羽根部６２がスクリーン５０の開閉移動領域Ｓに進出する。これにより、羽根部材６０の羽根部６２の延在端部がスクリーン５０の室外側の表面の両端縁部を押圧して、スクリーン５０の室内側の表面の両端縁部をガイド部材２１の内方ヒレ部２１ｃに接触させることができる。このとき、内方ヒレ部２１ｃの突出端部２１ｄには、室外側に突出する突起部２１ｅが形成されているので、スクリーン５０の室外側の表面の両端縁部を確実に内方ヒレ部２１ｃに接触させることができる。
【００４２】
このようにして羽根部材６０の羽根部６２の延在端部がスクリーン５０の室外側の表面を押圧することで、スクリーン５０の室内側の表面がガイド部材２１の内方ヒレ部２１ｃに圧接されるとともに、ケース部２２ａに設けた上方タイト材２６に圧接される。更に、ボトムバー３０に設けた下方タイト材３２が下額縁部材１２ｂの上面に圧接される。この結果、一対のガイド部材２１の間がスクリーン５０によって閉塞され、室内側と室外側との間の通気が確実に妨げられることになり、断熱性を向上させることができるようになる。
【００４３】
以上説明したように、本発明の実施の形態であるロールスクリーン装置によれば、スクリーン５０を繰り出す際に大きな力を必要としないため、操作性を損なうことがなく、しかも羽根部材６０がスクリーン５０を押圧することで一対のガイド部材２１を良好に閉塞することができ、断熱性を向上させることができる。またスクリーン５０が閉移動する際に外力が作用しないので、スクリーン５０に巻きシワが発生することを抑制することができる。
【００４４】
上述のようにスクリーン５０を繰り出した状態においては、例えば室内ドアを開閉した場合や扇風機、エアコン等の空調機から風を受けた場合、スクリーン５０の端縁部がガイド部材２１の内方ヒレ部２１ｃを超えて室内側に移動する虞れがある。しかしながら、このロールスクリーン装置では、一対のガイド部材２１の外方ヒレ部２１ｂどうしの離間距離がスクリーン５０の左右幅よりも大きく設定してあるので、スクリーン５０の両端縁部が単に内方ヒレ部２１ｃの室外側を臨む見付け面に対向するよう構成しているだけである。そのため、例えばボトムバー３０と係合片２７ｂとの係合状態を解除させた後、ボトムバー３０を一旦室外側に移動させれば、羽根部材６０が羽根用バネ６３の付勢力に抗して室外側に回動してスクリーン５０の両端縁部が再び内方ヒレ部２１ｃの室外側を臨む見付け面と対向した状態に復帰させることができる。そして、ボトムバー３０を再度室内側に移動させて係合片２７ｂと係合させることで、羽根部材６０が室内側に向けて回動してスクリーン５０の両端縁部が内方ヒレ部２１ｃに圧接され、一対のガイド部材２１の間を良好に閉塞することができる。
【００４５】
また、スクリーン５０の両端縁部が内方ヒレ部２１ｃの室外側を臨む見付け面に対向するよう構成しているだけなので、スクリーン５０の両端縁部がガイド部材２１に挟み込まれた状態でスクリーン５０が開閉移動することがなく、これによってもスクリーン５０の巻シワ等の発生を抑制することができる。
【００４６】
上記ロールスクリーン装置によれば、一対のガイド部材２１の内方ヒレ部２１ｃの突出端部２１ｄにおいて突起部２１ｅが室外側に向けて突出しているので、羽根部材６０がスクリーン５０の室外側の表面を押圧する場合に該スクリーン５０の両端縁部を確実に内方ヒレ部２１ｃに接触させることができる。
【００４７】
以上、本発明の好適な実施の形態について説明したが、本発明はこれに限定されるものではなく、種々の変更を行うことができる。
【００４８】
上述した実施の形態では、躯体開口１に設けた引き違い窓１０の額縁１２を取付対象とするものを例示しているが、本発明においては、必ずしも引き違い窓１０の額縁１２に付設するものに限定されず、その他の建具に付設するようにしてもよい。
【００４９】
上述した実施の形態では、スクリーン５０の両端縁部を内方ヒレ部２１ｃの室外側を臨む見付け面に接触させるようにしていたが、本発明においては、スクリーンの両端縁部を外方ヒレ部の室内側を臨む見付け面に接触させるようにしてもよい。
【００５０】
上述した実施の形態では、スクリーン５０の開閉移動領域Ｓに一対の羽根部材６０を進出するよう付勢する羽根用バネ６３を介装させて回動可能に構成するものを例示しているが、本発明においては、係合部材（ボトムバー３０）と一対の羽根部材のどちらか一方若しくは双方にマグネット等を設けて互いを磁力により連係可能な構成としてもよい。これによれば、係合部材が見込み方向に沿って移動する際に羽根部材を連係させて開閉移動領域に進退移動させることができる。また本発明においては、例えば索条体等の係合手段を介して係合部材と一対の羽根部材とを係合させ、係合部材が見込み方向に沿って移動する際に羽根部材を開閉移動領域に進退移動させるようにしてもよい。
【符号の説明】
【００５１】
１２  額縁、２１  ガイド部材、２１ｂ  外方ヒレ部、２１ｃ  内方ヒレ部、２１ｅ  突起部、２２  支持体、２７ｂ  係合片、３０  ボトムバー、３１  挿入用切欠、４０  巻取軸、４１  付勢部材、５０  スクリーン、６０  羽根部材、６１  軸部、６２  羽根部、６３  羽根用バネ、Ｓ  開閉移動領域
【図１】
2015151800.tif 000003
【図２】
2015151800.tif 000004
【図３】
2015151800.tif 000005
【図４】
2015151800.tif 000006
【図５】
2015151800.tif 000007
【図６】
2015151800.tif 000008
【図７】
2015151800.tif 000009
【図８】
2015151800.tif 000010
【図９】
2015151800.tif 000011